(57)【要約】【課題】複数のアプリケーションからの表示要求によってポップアップ情報を表示するものにおいて、ユーザにとって重要な情報を確実に表示する。【解決手段】制御部１０は、表示装置１２の画面表示を制御する。通常時には、ナビＥＣＵ１６による地図画面を表示し、アプリケーションから例えば動作情報やアラーム情報等の表示要求があった場合には、表示中の地図画面上に、ウィンドウを開いて当該情報を表示するポップアップ表示を行う。各アプリケーションから複数のポップアップ情報の表示要求が出力された場合に、優先度判定部１０ａがそれらポップアップ情報の優先度を判定し、その優先度に従って、表示制御部１０ｂが、表示装置１２に対するそれらポップアップ情報の表示を制御する。【選択図】図１
2016004469.tif 000002
【特許請求の範囲】
【請求項１】
表示装置（１２）と、前記表示装置（１２）の表示を制御するコントローラ（１０）とを備えて構成されると共に、ハイブリッドＯＳ構造により複数のアプリケーションの実行が可能な動作環境を備える情報機器（１）であって、
前記コントローラ（１０）は、前記各アプリケーションから出力されたポップアップ情報の表示要求を受付けることに基づいて、前記表示装置（１２）の画面に当該ポップアップ情報の表示を行うように構成されていると共に、
前記各アプリケーションから複数のポップアップ情報の表示要求が出力された場合にそれらポップアップ情報の優先度を判定する優先度判定手段（１０ａ）と、
前記優先度判定手段の判定した優先度に従って前記表示装置（１２）に対する前記ポップアップ情報の表示を制御する表示制御手段（１０ｂ）とを備えることを特徴とする情報機器。
【請求項２】
前記複数のアプリケーションには、機器（１）に予め搭載されている内蔵アプリケーションと、外部から取得される外部アプリケーションとが含まれており、
前記優先度判定手段（１０ａ）は、前記内蔵アプリケーションから表示要求があったポップアップ情報の優先度を、前記外部アプリケーションから表示要求があったポップアップ情報の優先度よりも高くすることを特徴とする請求項１記載の情報機器。
【請求項３】
前記表示制御手段（１０ｂ）は、前記表示装置（１２）における優先度の低いポップアップ情報の表示中に、それよりも高い優先度のポップアップ情報の表示要求があった場合には、前記表示装置（１２）の表示を高優先度のポップアップ情報の表示に切替え、当該高優先度のポップアップ情報の表示の完了後に、前記低優先度のポップアップ情報を再表示させることを特徴とする請求項１又は２記載の情報機器。
【請求項４】
前記表示制御手段（１０ｂ）は、前記表示装置（１２）における優先度の高いポップアップ情報の表示中に、それよりも低い優先度のポップアップ情報の表示要求があった場合には、当該高優先度のポップアップ情報の表示の完了後に、前記低優先度のポップアップ情報を表示させることを特徴とする請求項１から３のいずれか一項に記載の情報機器。
【請求項５】
前記表示制御手段（１０ｂ）は、優先度の低いポップアップ情報の表示要求があった後、一定時間が経過しても、それよりも優先度の高いポップアップ情報の表示が完了しない場合には、当該低優先度のポップアップ情報の表示を中止することを特徴とする請求項４記載の情報機器。
【請求項６】
前記各アプリケーションから出力されるポップアップ情報の優先度を、ユーザが設定するための設定操作手段を備えることを特徴とする請求項１から５のいずれか一項に記載の情報機器。
【発明の詳細な説明】
【技術分野】
【０００１】
本発明は、表示装置と、その表示装置の表示を制御するコントローラとを備えて構成される情報機器に関する。
【背景技術】
【０００２】
情報機器、例えば車載用の表示ユニットにおいては、インストルメントパネル部分に設けられた表示装置の画面に、ナビゲーションによる地図画面や、各種メッセージ等を表示するように構成されている。例えば特許文献１、２では、ナビゲーション装置のディスプレイ装置の画面に、到着日時に目的地施設が営業していない旨や、走行中の急発進、急停車等の危険行為に対する警告メッセージを表示することが開示されている。
【先行技術文献】
【特許文献】
【０００３】
【特許文献１】特開平１１−３２５９２２号公報
【特許文献２】特開２０１１−１９５６７５号公報
【発明の概要】
【発明が解決しようとする課題】
【０００４】
ところで、近年では、車載用の表示ユニットにおいて、例えばＬｉｎｕｘ（登録商標）とＡｎｄｒｏｉｄ（登録商標）との２つのＯＳの動作が可能なハイブリッドＯＳ構造（システム）を設けることが行われている。このシステムでは、予め搭載されているナビゲーションアプリ等の内蔵アプリケーションに加えて、外部の機器から取得された各種の外部アプリケーションといった、複数のアプリケーションを共存（連携）して実行させることが可能となる。このとき、表示制御用のコントローラは、外部アプリケーションから、例えば動作情報やアラーム情報等の表示要求があった場合には、例えば現在表示中の地図画面上に、ウィンドウを開いて当該情報を表示するポップアップ表示を行う。
【０００５】
しかしながら、このシステムでは、各アプリケーションが独自に表示要求を出力するため、複数のアプリケーションが同時期に重複するように表示要求を出力することも考えられる。そのため、コントローラは、ポップアップ表示中に別の表示要求を受付けた場合に、ポップアップ表示を次のものに切替えてしまうことになり、ユーザにとって重要な（必要な）情報を十分に表示できなくなる虞があった。
【０００６】
本発明は上記事情に鑑みてなされたものであり、その目的は、複数のアプリケーションからの表示要求によってポップアップ情報を表示するものにおいて、ユーザにとって重要な情報を確実に表示することができる情報機器を提供するにある。
【課題を解決するための手段】
【０００７】
本発明の情報機器は、表示装置（１２）と、前記表示装置（１２）の表示を制御するコントローラ（１０）とを備えて構成されると共に、ハイブリッドＯＳ構造により複数のアプリケーションの実行が可能な動作環境を備えるものであって、前記コントローラ（１０）は、前記各アプリケーションから出力されたポップアップ情報の表示要求を受付けることに基づいて、前記表示装置（１２）の画面に当該ポップアップ情報の表示を行うように構成されていると共に、前記各アプリケーションから複数のポップアップ情報の表示要求が出力された場合にそれらポップアップ情報の優先度を判定する優先度判定手段（１０ａ）と、前記優先度判定手段（１０ａ）の判定した優先度に従って前記表示装置（１２）に対する前記ポップアップ情報の表示を制御する表示制御手段（１０ｂ）とを備えるところに特徴を有する（請求項１の発明）。
【０００８】
これによれば、ハイブリッドＯＳ構造により複数のアプリケーションの実行が可能な動作環境を備えることにより、コントローラ（１０）は、各アプリケーションから出力されたポップアップ情報の表示要求を受付けることに基づいて、表示装置（１２）の画面に当該ポップアップ情報の表示を行う。このとき、同時期に複数のポップアップ情報の表示要求が出力された場合には、優先度判定手段（１０ａ）により、それらポップアップ情報の優先度が判定される。そして、その優先度に従って、表示制御手段（１０ｂ）により、表示装置（）に対するポップアップ情報の表示が制御される。
【０００９】
従って、複数のアプリケーションが同時期に重複するように表示要求を出力するといった事情があっても、優先度に応じた表示制御がなされるので、優先度の高いポップアップ情報が表示されなくなる（表示後すぐに優先度の低い別のポップアップ表示に切替えられる）ことが未然に防止される。この結果、複数のアプリケーションからの表示要求によってポップアップ情報を表示するものにおいて、ユーザにとって重要な情報を確実に表示することができるという優れた効果を得ることができる。
【図面の簡単な説明】
【００１０】
【図１】本発明の第１の実施例を示すもので、車載用情報機器の電気的構成を概略的に示す図
【図２】制御部のソフトウェア構成を模式的に示す図
【図３】表示装置の画面の表示例を示す図
【図４】制御部が実行する画面表示制御の処理手順を示すフローチャート
【図５】本発明の第２の実施例を示す図４相当図
【発明を実施するための形態】
【００１１】
（１）第１の実施例
以下、本発明を車載用の情報機器（表示ユニット）に適用した第１の実施例について、図１から図４を参照しながら説明する。図１は、本実施例に係る車載用情報機器１の電気的構成、及び車載用情報機器１を含むシステム構成を概略的に示している。本実施例に係る車載用情報機器１は、例えばユーザ（自動車の運転者）が所持するスマートフォン等の携帯端末２との間で、Bluetooth（登録商標）方式の無線通信により接続が可能に構成され、それらの連係動作が可能とされている。
【００１２】
前記携帯端末２は、例えばインターネット３を介して複数のサーバ４、５、６（ここでは、便宜上３つのみ図示）との間で通信可能に接続される。そのうちサーバ４は、スマートフォン２（車載用情報機器１）に対し、例えばＰＯＩ（Point Of interest）に関する情報や検索サービスを提供する。サーバ５は、スマートフォン２（車載用情報機器１）に対し、例えば外部アプリケーションを配信する。サーバ６は、スマートフォン２（車載用情報機器１）に対し、例えば特定のアプリケーションに応じたサービスを提供する。尚、図１に示すサーバの構成は一例であり、その数や提供するサービスの種類等はこれに限定されるものではない。
【００１３】
前記車載用情報機器１は、制御部１０、記憶部１１、表示装置１２、操作部１３、通信部１４、外部インターフェース１５等を備えている。また、車載用情報機器１は、ナビゲーション機能を提供するためのナビＥＣＵ１６（Electronic Control Unit）、及び、オーディオ機能を提供するためのオーディオＥＣＵ１７を備えている。オーディオＥＣＵ１７には、スピーカ１８及びマイク１９が接続されている。この車載用情報機器１は、いわゆるナビゲーション装置として機能する。尚、車載用情報機器１は、ナビゲーション機能やオーディオ機能を制御部１０にて実現する構成としてもよいし、ナビゲーション機能やオーディオ機能を備えていない構成であってもよい。
【００１４】
詳しく図示はしないが、前記制御部１０は、ＣＰＵ、ＲＯＭ及びＲＡＭ等を有するコンピュータを主体として構成されている。この制御部１０は、前記表示装置１２の表示を制御するコントローラとしての機能を備えている。詳しくは後述するが、この制御部１０には、主としてそのソフトウェア的構成により、優先度判定手段としての優先度判定部１０ａ、表示制御手段としての表示制御部１０ｂが設けられている。
【００１５】
このとき、本実施例では、前記制御部１０（車載用情報機器１）は、ハイブリッドＯＳ構造により複数のアプリケーションの実行が可能な動作環境を備えている。つまり、１つのＣＰＵ上で２つのＯＳが並行（連携）して動作可能な構造を備え、具体的には、予め搭載されている内蔵（Ｎａｔｉｖｅ）アプリケーションを実行可能なＯＳとしてのＬｉｎｕｘ（登録商標）、及び、通信部１４を介して例えば外部サーバ５等からダウンロードした外部アプリケーションを実行可能なＯＳとしてのＡｎｄｒｏｉｄ（登録商標）の動作環境を備えている。
【００１６】
図２は、制御部１０が備えるソフトウェア構成を模式的に示している。ここで、ハードウェアは、例えばＬｉｎｕｘのＯＳ（カーネル）により管理され、このＯＳ上に、内蔵アプリケーションを実行（制御）する例えばＬｉｎｕｘのドライバからなるミドルウェア（内蔵アプリケーション動作環境）が設けられると共に、Ａｎｄｒｏｉｄのドライバ（外部アプリケーション動作環境）が設けられる。またそれらに共通して利用されるグラフィックのドライバが設けられる。Ａｎｄｒｏｉｄは、クライアントを介してダウンロードした外部アプリケーションを実行（制御）する。
【００１７】
前記内蔵アプリケーションには、例えば表示装置１２への表示を行うアプリケーション、操作部１３からの操作を受け付けるアプリケーション、ナビＥＣＵ１６やオーディオＥＣＵ１７との間の通信を行うアプリケーション、スピーカ１８へ音声出力を行うアプリケーション、マイク１９から入力された音声に例えば音声認識を行うアプリケーション等が含まれている。また、例えば燃料の残量の監視、ＥＴＣ車載器の管理、車両の走行に関する各種の監視・警告などを行うアプリケーションも含まれている。尚、図２では、内蔵アプリケーションにＡ１、Ａ２の符号を付し、外部アプリケーションにＢ１、Ｂ２の符号を付している。内蔵アプリケーション及び外部アプリケーションの数や種類は、図２に例示したものに限定されない。
【００１８】
さて、前記制御部１０は、前記表示装置１２の画面表示を制御するコントローラとして機能するのであるが、例えば通常時には、ナビＥＣＵ１６による地図画面（車両の現在位置及びその周辺地図、更にはルートガイダンス用の画面）を表示する（図３（ａ）参照）。このとき、各アプリケーションが同時に並行して実行されており、制御部１０に対し、それらアプリケーションから例えば動作情報やアラーム情報等の表示要求があった場合には、制御部１０は、図３（ｂ）、（ｃ）に示すように、表示装置１２の表示中の地図画面上に、ウィンドウを開いて当該情報を表示するポップアップ表示Ｐ１、Ｐ２を行う。
【００１９】
ここで、各アプリケーションが独自に表示要求を出力するため、複数のアプリケーションが同時期に重複するように表示要求を出力することが考えられる。そこで、本実施例では、次の作用説明（フローチャート説明）で述べるように、各アプリケーションから複数のポップアップ情報の表示要求が出力された場合に、前記優先度判定部１０ａがそれらポップアップ情報の優先度を判定する。この場合、優先度は、例えば複数段階の数値で表され、数値が大きいほど優先度が高くなる。そして、優先度判定部１０ａが判定した優先度に従って、前記表示制御部１０ｂが、表示装置１２に対するそれらポップアップ情報の表示を制御する。
【００２０】
具体的には、前記優先度判定部１０ａは、内蔵アプリケーションから表示要求があったポップアップ情報の優先度を、外部アプリケーションから表示要求があったポップアップ情報の優先度よりも高くする。また、内蔵アプリケーションから表示要求のある複数のポップアップ情報間における優先度については、車両走行上の安全面などから評価される緊急度（ユーザにとっての重要度）の高い情報ほど、優先度を高くする。同様に、外部アプリケーションから表示要求のある複数のポップアップ情報間における優先度についても、緊急度（ユーザにとっての重要度）の高い情報ほど、優先度を高くする。
【００２１】
このとき、本実施例では、前記表示制御部１０ｂは、表示装置１２における優先度の低いポップアップ情報の表示中に、それよりも高い優先度のポップアップ情報の表示要求があった場合には、表示装置１２の表示を高優先度のポップアップ情報の表示に切替え、当該高優先度のポップアップ情報の表示の完了後に、当該低優先度のポップアップ情報を再表示させる。
【００２２】
また本実施例では、表示制御部１０ｂは、表示装置１２における優先度の高いポップアップ情報の表示中に、それよりも低い優先度のポップアップ情報の表示要求があった場合には、当該高優先度のポップアップ情報の表示の完了後に、当該低優先度のポップアップ情報を表示させる。
【００２３】
次に、上記構成の作用について、図３及び図４も参照して述べる。図４のフローチャートは、アプリケーションからポップアップ情報の表示要求があった場合に、制御部１０（優先度判定部１０ａ及び表示制御部１０ｂ）が実行する、制御装置１２のポップアップ情報の表示制御に関する処理手順を示している。尚、ここでは、表示要求があったポップアップ情報の優先度をｂ、現在表示中のポップアップ情報の優先度をａとしている。
【００２４】
アプリケーションからポップアップ情報の表示要求があったときに、まず、ステップＳ１では、表示装置１２の画面に対する別のポップアップ情報の表示中かどうかが判断される。別のポップアップ情報の表示中でない場合には（ステップＳ１にてＮｏ）、ステップＳ７に進む。このステップＳ７では、当該ポップアップ表示に関する表示タイマーがスタートされ、引続きステップＳ８にて、ポップアップ表示が開始される。これにて、ポップアップ表示応答状態となり、図示は省略しているが、以後は、表示切替処理が行われる場合を除き、表示タイマーが完了するまでポップアップ表示が継続され、表示タイマーの完了（タイムアップ）によりポップアップ表示が終了する。
【００２５】
図３は、表示装置１２の画面におけるポップアップ表示Ｐ１、Ｐ２の例を示している。図３（ａ）では、表示装置１２に地図画面が表示されている。図３（ｂ）では、表示されている地図画面上に、ウィンドウを開いて「ダウンロード中」（外部のサーバ４、５、６からデータ等をダウンロードしている旨の報知）の情報を表示するポップアップ表示Ｐ１が行われている様子を示す。また、図３（ｃ）では、地図画面上に、ウィンドウを開いて「カードエラー」（ＥＴＣ車載器にカードがセットされていない旨の警告）の情報を表示するポップアップ表示Ｐ２が行われている様子を示している。尚、「ダウンロード中」のポップアップ情報よりも、「カードエラー」のポップアップ情報の方が優先度は高いものとされる。
【００２６】
一方、上記ステップＳ１にて、別のポップアップ情報の表示中であった場合には（ステップＳ１にてＹｅｓ）、ステップＳ２にて、現在表示中のポップアップ情報の表示タイマーが完了したかどうかが判断される。表示タイマーが完了した場合には（ステップＳ２にてＹｅｓ）、ステップＳ６に進む。このステップＳ６では、表示中のポップアップ表示を、新たに要求のあったポップアップ表示に切替える表示切替処理が行われ、上記ステップＳ７に進む。これに対し、表示タイマーが完了していない状態では（ステップＳ２にてＮｏ）、次のステップＳ３にて、現在表示中のポップアップ情報の優先度ａ、及び、表示要求があったポップアップ情報の優先度ｂの取得が行われる。
【００２７】
そして、ステップＳ４にて、現在表示中のポップアップ情報の優先度ａと、表示要求があったポップアップ情報の優先度ｂとの比較が行われる。次のステップＳ５では、表示要求があったポップアップ情報の優先度ｂが、現在表示中のポップアップ情報の優先度ａよりも大きい（優先度が高い）かどうかが判断される。表示要求があったポップアップ情報の優先度ｂが、現在表示中のポップアップ情報の優先度ａよりも大きい場合には（ステップＳ５にてＹｅｓ）、ステップＳ６に進み、表示中のポップアップ表示を、新たに要求のあったポップアップ表示に切替える表示切替処理が行われる。
【００２８】
表示要求があったポップアップ情報の優先度ｂが、現在表示中のポップアップ情報の優先度ａよりも大きくない場合には（ステップＳ５にてＮｏ）、ステップＳ９に進み、再表示要求待ちのタイマーがスタートされる。これにて、再表示要求待ち状態となり、図示は省略しているが、再表示要求待ちタイマーが完了（タイムアップ）すると、当該ポップアップ情報に関する再表示要求がなされ、ステップＳ１に戻る。
【００２９】
尚、図４に示されてはいないが、直前まで表示中であったものの、ステップＳ５及びステップＳ６の処理により、優先度の高いポップアップ情報の表示に切替えられた優先度の低いポップアップ情報（中断されたポップアップ表示）については、表示タイマーを一時停止し、優先度の高いポップアップ情報の表示が全て終了した後に、残り時間について再表示を行うようにすることができる。或いは、中断されたポップアップ表示についても、ステップＳ９と同様に、再表示要求待ち状態とするよう構成しても良い。
【００３０】
図３の例で説明すると、以上のような制御部１０の表示制御により、通常時には、図３（ａ）に示すように、表示装置１２には地図画面が表示される。この状態で、一つのアプリケーションから単独でポップアップ情報の表示要求があると、図３（ｂ）に示すような「ダウンロード中」のポップアップ表示Ｐ１、或いは、図３（ｃ）に示すような「カードエラー」のポップアップ表示Ｐ２がなされる。このポップアップ表示Ｐ１、Ｐ２は、表示タイマーに基づいて所定時間継続して表示された後、終了（地図画面に戻る）される。
【００３１】
これに対し、例えば、図３（ｂ）に示すように，表示装置１２に「ダウンロード中」のポップアップ表示Ｐ１がなされているときに、「カードエラー」のポップアップ表示Ｐ２の要求があった場合には、表示要求があったポップアップ情報の優先度ｂが、現在表示中のポップアップ情報の優先度ａよりも大きい（高い）ので、図３（ｂ）に示すように、表示装置１２の画面は「カードエラー」のポップアップ表示Ｐ２に切替えられる。「カードエラー」のポップアップ表示Ｐ２の終了後に、「ダウンロード中」のポップアップ表示Ｐ１が再度表示される。
【００３２】
また、例えば、図３（ｃ）に示すように、表示装置１２に「カードエラー」のポップアップ表示Ｐ２がなされているときに、「ダウンロード中」のポップアップ表示Ｐ１の要求があった場合には、表示要求があったポップアップ情報の優先度ｂが、現在表示中のポップアップ情報の優先度ａよりも小さい（低い）ので、表示装置１２の画面は図３（ｃ）に示すポップアップ表示Ｐ２のままとなる。そして、「カードエラー」のポップアップ表示Ｐ２が終了した後に、再表示要求に基づき、「ダウンロード中」のポップアップ表示Ｐ１に切替えられるようになる。尚、詳しい説明は省略するが、同時に３つ以上の表示要求があった場合でも、それらの優先度に応じて、同様に表示を制御することができる。
【００３３】
このように本実施例によれば、ハイブリッドＯＳ構造により複数のアプリケーションの実行が可能な動作環境を備えることにより、制御部１０は、各アプリケーションから出力されたポップアップ情報の表示要求を受付けることに基づいて、表示装置１２の画面に当該ポップアップ情報の表示を行うことができる。このとき、同時期に複数のポップアップ情報の表示要求が出力された場合でも、優先度判定部１０ａにより、それらポップアップ情報の優先度を判定し、その優先度に従って、表示制御部１０ｂにより、表示装置１２に対するポップアップ情報の表示を制御することができる。
【００３４】
従って、複数のアプリケーションが同時期に重複するように表示要求を出力するといった事情があっても、優先度に応じた表示制御がなされるので、優先度の高いポップアップ情報が表示されなくなる（表示後すぐに優先度の低い別のポップアップ表示に切替えられる）ことが未然に防止される。この結果、本実施例によれば、複数のアプリケーションからの表示要求によってポップアップ情報を表示するものにおいて、ユーザにとって重要な情報を確実に表示することができるという優れた効果を得ることができる。
【００３５】
特に本実施例では、機器に本来搭載されている内蔵アプリケーションから表示要求があったポップアップ情報の優先度を、外部アプリケーションから表示要求があったポップアップ情報の優先度よりも高くするように構成したので、ユーザにとってより重要と予想されるポップアップ情報の優先度を高くすることができる。
【００３６】
また、本実施例では、表示装置１２における優先度の低いポップアップ情報の表示中に、それよりも高い優先度のポップアップ情報の表示要求があった場合には、表示装置１２の表示を高優先度のポップアップ情報の表示に切替え、当該高優先度のポップアップ情報の表示の完了後に、低優先度のポップアップ情報を再表示させるようにしたので、後回しになるものの、低優先度のポップアップ情報をユーザに再表示することができる。
【００３７】
そして、表示装置１２における優先度の高いポップアップ情報の表示中に、それよりも低い優先度のポップアップ情報の表示要求があった場合には、当該高優先度のポップアップ情報の表示の完了後に、低優先度のポップアップ情報を表示させるように構成したので、低優先度のポップアップ情報についても、表示することが可能となる。
【００３８】
（２）第２の実施例、その他の実施例
図５は、本発明の第２の実施例を示すものであり、以下、上記第１の実施例（図４）と異なる点について述べる。この第２の実施例においては、上記第１の実施例と同様に、表示制御部１０ｂは、表示装置１２における優先度の高いポップアップ情報の表示中に、それよりも低い優先度のポップアップ情報の表示要求があった場合には、当該高優先度のポップアップ情報の表示の完了後に、当該低優先度のポップアップ情報を表示させる。このとき、本実施例では、優先度の低いポップアップ情報の表示要求があった後、一定時間が経過しても、それよりも優先度の高いポップアップ情報の表示が完了しない場合には、当該低優先度のポップアップ情報の表示を中止するようになっている。
【００３９】
即ち、本実施例では、図５に示すように、表示要求があったポップアップ情報の優先度ｂが、現在表示中のポップアップ情報の優先度ａよりも大きくない場合には（ステップＳ５にてＮｏ）、ステップＳ１１に進む。このステップＳ１１では、再表示要求の回数を表すカウント値が、上限値を超えたかどうかが判断される。再表示要求のカウント値が上限値を超えていない場合には（ステップＳ１１にてＮｏ）、ステップＳ１２に進む。このステップＳ１２では、再表示要求のカウント値が１だけインクリメントされ、次のステップＳ９にて、再表示要求待ちのタイマーがスタートされ、再表示要求待ち状態となる。
【００４０】
そして、その再表示要求待ち状態となったポップアップ情報に関し、再表示要求が繰返されて再表示要求のカウント値が上限値を超えてしまった場合には（ステップＳ１１にてＹｅｓ）、当該ポップアップ情報の表示が中止（再表示要求をそれ以上行わない）される。図３の例で説明すると、図３（ｃ）に示すように、表示装置１２に高優先度の「カードエラー」のポップアップ表示Ｐ２がなされているときに、低優先度の「ダウンロード中」のポップアップ表示Ｐ１の要求があった場合には、表示装置１２の画面は図３（ｃ）に示すポップアップ表示Ｐ２のままとなる。
【００４１】
その後、低優先度の「ダウンロード中」のポップアップ表示Ｐ１の再表示要求がなされるのであるが、「カードエラー」のポップアップ表示Ｐ２（及びその他の高優先度のポップアップ情報の表示）にある程度時間がかかったため、再表示要求が何回か繰返されて再表示要求のカウント値が上限値を超えてしまった場合には、低優先度の「ダウンロード中」のポップアップ表示Ｐ１は行われなくなる。再表示要求のカウント値が上限値以内である場合には、高優先度のポップアップ情報の表示の後に、表示再表示要求に基づき、「ダウンロード中」のポップアップ表示Ｐ１がなされるようになる。
【００４２】
このような第２の実施例によっても、上記第１の実施例と同様に、複数のアプリケーションからの表示要求によってポップアップ情報を表示するものにおいて、ユーザにとって重要な情報を確実に表示することができるという優れた効果を得ることができる。そして、表示装置１２における優先度の高いポップアップ情報の表示中に、それよりも低い優先度のポップアップ情報の表示要求があった場合、優先度の低いポップアップ情報の表示要求があった後一定時間が経過した後は、低優先度のポップアップ情報の表示がなされなくなるので、いわば鮮度が低下したポップアップ情報については、あえて表示されることもなくなり、合理的となる。
【００４３】
尚、上記各実施例では、各ポップアップ情報の優先度を、制御部１０が、ユーザにとっての緊急度合や、内蔵アプリケーションが外部アプリケーションかによって決定（判定）するように構成したが、ポップアップ情報の優先度を、ユーザが設定するための設定操作手段を設けるようにしても良い。これによれば、ユーザの好みを加味した優先度を付与することも可能となり、利便性を高めることができる。その他、本発明は上記した各実施例に限定されるものではなく、例えば車載用に限らず表示装置を備える情報機器全般に適用することができ、また、情報機器のハードウェア構成や、制御部のソフトウェア構成等についても種々の変更が可能である等、要旨を逸脱しない範囲で適宜変更して実施し得るものである。
【符号の説明】
【００４４】
図面中、１は車載用情報機器（情報機器）、１０は制御部（コントローラ）、１０ａは優先度判定部（優先度判定手段）、１０ｂは表示制御部（表示制御手段）、１２は表示装置を示す。
【図１】
2016004469.tif 000003
【図２】
2016004469.tif 000004
【図３】
2016004469.tif 000005
【図４】
2016004469.tif 000006
【図５】
2016004469.tif 000007